(57)【特許請求の範囲】
【請求項１】
吸液芯材を有する芳香剤加熱蒸散装置を用いて香料が１重量％以上配合された芳香剤を揮散させる方法であって、吸液芯材として、前記加熱蒸散装置に設けられたヒータから離れ、かつそれに近接して配置する先端部が、先端ほど吸液芯材の表面積が小さくなる形状を有する吸液芯材を用い、前記ヒータ又は前記吸液芯材を上下することにより、かつ芳香剤及び／又は吸液芯に溶液の加熱蒸散性を改善あるいは調整する化合物を添加することにより、芳香剤の蒸散量を調節することを特徴とする芳香剤の揮散調節方法。
【請求項２】
前記吸液芯材の先端部が円錐状の形状を有することを特徴とする請求項１記載の芳香剤の揮散調節方法。
【発明の詳細な説明】
【０００１】
【発明の属する技術分野】
本発明は、加熱により芳香剤の有効成分を蒸散させる加熱蒸散装置に用いられる吸液芯材に関し、詳しくは芳香剤の有効成分の蒸散量を従来より微調節することを可能にする吸液芯材及びそれを用いる芳香剤の揮散調節方法に関する。
【０００２】
【従来の技術】
従来より、吸液芯材を用いる芳香剤の吸上式加熱蒸散装置は、装置に配備した容器内に香料を溶媒に溶解した芳香剤を入れ、その芳香剤内に吸液芯材を浸漬して芳香剤を吸い上げ、吸液芯材の先端部の周りに配備したリング状の加熱ヒーターで吸液芯材の先端部を加熱し、芳香剤の有効成分（香料）を蒸散させるようにしたものである。
この吸上式加熱蒸散装置に用いられる吸液芯材としては、種々のものが知られているが、それら従来の吸液芯材の形状は一般的に円筒状であった。かつ、それら吸液芯材の上端はフラットな形状のもの（以下これを「フラット芯材」という）であった。この形状は、長い線状体を一定の長さに切断するという芯材の製造工程から来るものである。また、前記装置における芳香剤の蒸散量を調節する仕方は、前記円筒状の吸液芯材をリング状の加熱ヒーターの中心部において上下させる方法であった。
【０００３】
そのため、吸液芯材の上端がリング状の加熱ヒーターの上端と下端の間にあって、吸液芯材を上下させるに従って吸液芯材の先端部が加熱ヒーターと重なる部分の面積が変化する状態にある間は、吸液芯材の加熱面積が変化することになり、芳香剤の蒸散量はその加熱面積の変化に応じて変化させることができる。しかし、円筒状の吸液芯材を上昇させてその上端が加熱ヒーターの上面を越えるように吸液芯材を上昇させて行っても吸液芯材の直径が同じであることから、吸液芯材に加えられる熱量はあまり差が生じないので、芳香剤の実質的な蒸散量を調節することは望めなかった。
また、このフラット芯材を用いて蒸散させた場合でかつ蒸散させる芳香剤の有効成分の濃度が高い場合には、吸液芯材が加熱ヒーターと重なる部分の面積が変化する部分においては重なりを少し変えただけでも芳香剤の有効成分量の変化が大きくなるため蒸散量の微調節ができず実際の使用に耐えなかった。
【０００４】
【発明が解決しようとする課題】
本発明の課題は、前記従来技術の欠点を改良し、芳香剤の有効成分の実質的な蒸散量を良く調節できる技術を提供し、有効成分が高濃度である芳香剤を用いた場合でもその有効成分の実質的な蒸散量の微調節を可能にすることにある。
【０００５】
【課題を解決するための手段】
本発明者は、鋭意研究の結果、加熱吸い上げ式の加熱蒸散装置に用いられる吸液芯材の先端の形状を変形させることにより、吸液芯材からの芳香剤の蒸散量の実質的な微調節ができるようにする方法を見い出し本発明に達した。すなわち、本発明は、次の手段により前記の課題を解決した。
（１）吸液芯材を有する芳香剤加熱蒸散装置を用いて香料が１重量％以上配合された芳香剤を揮散させる方法であって、吸液芯材として、前記加熱蒸散装置に設けられたヒータから離れ、かつそれに近接して配置する先端部が、先端ほど吸液芯材の表面積が小さくなる形状を有する吸液芯材を用い、前記ヒータ又は前記吸液芯材を上下することにより、かつ芳香剤及び／又は吸液芯に溶液の加熱蒸散性を改善あるいは調整する化合物を添加することにより、芳香剤の蒸散量を調節することを特徴とする芳香剤の揮散調節方法。
（２）前記吸液芯材の先端部が円錐状の形状を有することを特徴とする前記（１）記載の芳香剤の揮散調節方法。
【０００６】
本発明において使用される吸液芯材の先端の形状は円錐状、角錐状など種々の形状とすることができるが、円錐状が好ましい。また、先端になるほど細くするならば、その断面は円形でなく星形状にしたものでも構わない。要するに吸液芯材の先端部において先端になるほど表面積が減少し、ひいては揮散面積が減少し、さらにまた通常は、細くなることにより装置に設置されたヒータから吸液芯材の表面までの距離が遠くなるので、吸液芯材の表面に存在している芳香剤の加熱される温度も低くなるなどの効果で、先端部では芳香剤の蒸散量は、吸液芯材の長手方向の単位長さ当たりでは、先端ほど少なくなる。
本発明において使用される吸液芯材の先端部の形状は、先端になるほどの表面積が小さくした部分を設けるならば特に制限されるものではない。しかしながら、加工が容易であり、かつ効果が大きいため吸液芯材の先端の形状を円錐状とすることが好ましい。
【０００７】
【発明の実施の形態】
図１に本発明の吸液芯材及び従来の吸液芯材の形状の例を示す。上部に側面図、中央に平面図、下部に縦断面図を示す。
図１（ａ）には本発明において好ましく使用される先端部の形状が円錐状である円筒形の吸液芯材の１例を示し、（ｃ）には先端部が斜めに切り落とされた形の円筒形の吸液芯材の１例を示し、図２（ｄ）にはコの字型のヒーターに適合するような先端部が３面の斜面を有するように斜めに切り落とされた形の角形の吸液芯材の１例を示し、（ｅ）には先端部が四角錐である角形の吸液芯材の１例を示す。
また、図２（ｆ）には従来汎用されている先端がフラットな円筒形の吸液芯材（フラット芯材）の縦断面の１例を示した。
前記の吸液芯材のうち、（ｃ）のものは、立面形のヒーターに対して使用するのに適しており、（ｄ）のものは平面コの字形のヒーターに対して使用するのに適しており、（ｅ）のものは平面角リングヒーターに対して使用するのに適している。
吸液芯材の外形寸法は、（ａ）においては通常太さが３ないし７ｍｍ、長さは５０〜８０ｍｍ程度のもので、円錐部の長さは３〜１０ｍｍの範囲が良い。
【０００８】
汎用されている芳香剤加熱蒸散装置の断面説明図を図３に示し、以下に図３を用いて芳香剤加熱蒸散用吸液芯材が加熱蒸散装置に取り付けられる状態の１例を説明する。
吸液芯材２０を内部に配備している芳香剤加熱蒸散装置１は上方開口部２と下方開口部３を有する略円筒状の装置で、外周壁４と内周壁５を有し、内周壁５に取り付け口６が設けられ、その取付口６に芳香剤を収納した薬液容器７が取り付けられている。
芳香剤加熱蒸散装置１の上方開口部２付近にリング状の加熱ヒーター９が設けられており、一方吸液芯材２０は、芳香剤加熱蒸散装置１の口部８に、吸液芯材２０の先端２２がリング状の加熱ヒーター９の下端とほぼ一致するように位置決めされて固定され、吸液芯材２０の下端２１は薬液容器７内の薬液１０に十分に浸漬されている。前記加熱ヒーター９又は吸液芯材２０の上下調節装置は図示するのを省略している。
【０００９】
芳香剤を長期間安定した香質、香料強度および蒸散量を保って加熱蒸散させるために使用される吸液芯材は、合成樹脂繊維のトップあるいはスライバーを熱硬化性樹脂によって接着し、成形した、気孔率２０％ないし８０％、好ましくは４０％ないし６０％に設定された芯材である。好ましく使用される合成樹脂繊維は単糸の太さが１〜１５デニールのポリアクリル、ポリアミド、ポリエステルなどで、特に好ましいものはＰＥＴ繊維である。また、接着に好ましく使用される熱硬化性樹脂としては、メラミン樹脂やフッ素系熱硬化性樹脂である。もちろん、フェルト、パルプ、無機質繊維、素焼などからなる各種芯材も使用することができる。
【００１０】
本発明の加熱蒸散に用いる芳香剤中に含有される香料としては、可溶化剤に溶解させて使用できるものであれば何ら制限を受けるものではなく、天然香料あるいは合成香料のいずれでも使用可能で、調合香料であっても構わない。また、動物性香料、植物性香料を問わないが植物性香料が好ましい。
天然香料として例えば、じゃ香、霊猫香、竜延香などの動物性香料；アビエス油、アジョクン油、アルモンド油、アンゲリカルート油、ページル油、ペルガモット油、パーチ油、ボアバローズ油、カヤブチ油、ガナンガ油、カプシカム油、キャラウエー油、カルダモン油、カシア油、セロリー油、シンナモン油、シトロネラ油、コニャック油、コリアンダー油、キュペブ油、クミン油、樟脳油、ジル油、エストゴラン油、ユーカリ油、フェンネル油、ガーリック油、ジンジャー油、グレープフルーツ油、ホップ油、ジュニパーペリー油、ローレルリーフ油、レモン油、レモングラス油、ロページ油、メース油、ナツメグ油、マンダリン油、タンゼリン油、カラシ油、はつか油、燈花油、玉ねぎ油、こしょう油、オレンジ油、セイジ油、スターアニス油、テレピン油、ウォームウッド油、ワニラ豆エキストラクトなどの植物性香料を含む。
【００１１】
人造香料は合成又は抽出香料であり、それらは例えばピネン、リモネンなどの炭化水素類；リナロール、ゲラニオール、シトロネロール、メントール、ボルネオール、ベンジルアルコール、アニスアルコール、β−フェニルエチルアルコールなどのアルコール類；アネトール、オイゲノールなどのフェノール類；ｎ−ブチルアルデヒド、イソブチルアルデヒド、ヘキシルアルデヒド、ヘプチルアルデヒド、ｎ−ノニルアルデヒド、ノナジエナール、シトラール、シトロネラール、ベンズアルデヒド、シンナミックアルデヒド、ヘリオトロピン、ワニリンなどのアルデヒド類；メチルアミルケトン、メチルノニルケトン、ジアセチル、アセチルプロピオニル、アセチルブチリル、カルボン、メントン、樟脳、アセトフェノン、ｐ−メチルアセトフェノン、イオノンなどのケトン類；アミルブチロラクトン、メチルフェニルグリシド酸エチル、γ−ノニルラクトン、クマリン、シネオールなどのラクトン又はオキシド類；メチルフォーメート、イソプロピルフォーメート、リナリールフォーメート、エチルアセテート、オクチルアセテート、メンチルアセテート、ベンジルアセテート、シンナミルアセテート、プロピオン酸ブチル、酢酸イソアミル、イソ酪酸イソプロピル、イソ吉草酸グラニル、カプロン酸アリル、ヘプチル酸ブチル、カプリル酸オクチル、ヘプチンカルボン酸メチル、ペラハゴン酸エチル、オクチンカルボン酸メチル、カプリン酸イソアシル、ラウリン酸メチル、ミリスチン酸エチル、安息香酸エチル、安息香酸ベンジル、フェニル酢酸メチル、フェニル酢酸ブチル、桂皮酸メチル、桂皮酸シンナミル、サルチル酸メチル、アニス酸エチル、アンスラニル酸メチル、エチルピルベート、エチルα−ブチルブチレートなどのエステル類などを含む。
【００１２】
香料は一種類のみでもよいし、二種類以上を調合した調合香料でもよい。配合香料としては、例えば天然香料としてじゃ香、合成香料としてピネンを調合した調合香料、あるいは天然香料として霊猫香、合成香料としてリモネンを調合した調合香料などが挙げられる。
【００１３】
前記加熱蒸散用芳香剤は、水、アルコール類、エーテル類、灯油系（パラフィン系）などを単独または組み合わせた香料の水及び／又は油に溶ける溶剤に香料を溶解させて製造する。香料の溶剤は前記香料を溶解するものであれば特に制限されない。前記香料の溶剤への配合割合は、加熱蒸散用香料溶剤に香料成分を１〜１００重量％、好ましくは１０〜５０重量％であるが、実施可能な限り前記配合割合に制限を受けるものではない。
【００１４】
また、この香料組成物及び／又芯中には溶液の加熱蒸散性を改善あるいは調整するために次の化合物を添加する。すなわち例えば、
・３，５−ジ−ｔ−ブチル−４−ヒドロキシトルエン（以下ＢＨＴという）
・３−ｔ−ブチル−４−ヒドロキシアニソール
・３，５−ジ−ｔ−ブチル−４−ヒドロキシアニソール
・メルカプトベンズイミダゾール
・ジラウリル−チオ−ジ−プロピオネート
・２，２′−メチレン−ビス−（６−ｔ−ブチル−４−メチルフェノール）
・２，２′−メチレン−ビス−（６−ｔ−ブチル−４−エチルフェノール）
・４，４′−メチレン−ビス−（２，６−ジ−ｔ−ブチルフェノール）
・４，４′−ブチリデン−ビス−（６−ｔ−ブチル−３−メチルフェノール）
・４，４′−チオ−ビス−（６−ｔ−ブチル−３−メチルフェノール）
・１，１−ビス−（４−ヒドロキシフェニル）シクロヘキサン１，３，５−トリメチル−２，４，６−トリス（３，５−ジ−ｔ−ブチル−４−ヒドロキシベンジル）ベンゼン
・トリス（２−メチル−４−ヒドロキシ−５−ｔ−ブチルフェニル）ブタン
・テトラキス［メチレン（３，５−ジ−ｔ−ブチル−４−ヒドロキシヒドロシンナメート）］メタン
・オクタデシル−３，５−ジ−ｔ−ブチル−４−ヒドロキシヒドロシンナメート
【００１５】
・フェニル−β−ナフチルアミン
・Ｎ，Ｎ′−ジフェニル−ｐ−フェニレンジアミン
・２，２，４−トリメチル−１，３−ジヒドロキノリンポリマー
・６−エトキシ−２，２，４−トリメチル−１，３−ジヒドロキノリン
・２−ｔ−ブチル−４−メトキシフェノール
・３−ｔ−ブチル−４−メトキシフェノール
・２，６−ジ−ｔ−ブチル−４−エチルフェノール
・ステアリル−β−（３，５−ジ−ｔ−ブチル−４−ヒドロキシフェニル）プロピオネート
・α−トコフェロール
・アスコルビン酸
・エリソルビン酸
【００１６】
・ステアリル−β−（３，５−ジ−ｔ−ブチル−４−ヒドロキシフエニル）プロピオネート
・２，２′−メチレン−ビス（４−メチル−６−ｔ−ブチルフエノール）
・２，２′−メチレン−ビス（４−エチル−６−ｔ−ブチルフエノール）
・４，４′−メチレン−ビス（４−メチル−６−ｔ−ブチルフエノール）
・４，４′−メチレン−ビス（２，６−ジ−ｔ−ブチルフエノール）
・４，４′−ブチリデン−ビス（３−メチル−６−ｔ−ブチルフエノール）
・４，４′−チオビス（３−メチル−６−ｔ−ブチルフエノール）
・１，３，５−トリメチル−２，４，６−トリス（３，５−ジ−ｔ−ブチル−ヒドロキシベンジル）ベンゼン
・１，１，３−トリス−（２−メチル−５−ｔ−ブチル−４−ヒドロキシフエニル）ブタン
・テトラキス〔メチレン（３，５−ジ−ｔ−ブチル−４−ヒドロキシシンナメート）〕メタン
などを挙げることができる。
【００１７】
上記化合物は、その１種を単独で用いてもよく、また２種以上併用することもできる。その使用量は、本発明の前記溶剤もしくは香料組成物或いは芯中に約０．０５〜２．０重量％、好ましくは約０．１〜１．０重量％含有される量とするのが好ましい。もちろん、実施可能であれば、上記化合物の添加は前記割合に制限されるものではない。
【００１８】
本発明の吸液芯材は、前記（１）あるいは（２）に記載した構成であるので、図２に示す芳香剤加熱蒸散装置において従来通りの幅のリング状加熱ヒーターを用いて、吸液芯材の先端部分を加熱することによって芳香剤の蒸散量を５段階以上に揮散量調節が可能となる。さらに高濃度の製剤を用いた場合でも微調節が可能であるので、高濃度の芳香剤を用いれば薬液ボトルを小さくできるので芳香剤加熱蒸散装置全体をコンパクトにできる。
【００１９】
また、本発明の吸液芯材の先端の「吸液芯材の表面積が小さくなるように加工した部分」を芳香剤加熱蒸散装置に配備したリング状ヒータより上部に出し、未加工部（吸液芯材の本来の太さを持つ部分）のみをヒータと重ねて加熱した場合、従来汎用のフラット芯材をリング状ヒータと重ねて加熱した場合よりも芳香剤の蒸散量は増加する。これはリング状ヒータより上部に出ている吸液芯材の先端は保有している芳香剤の量が少ないので加熱部から伝達される熱で芳香剤が蒸散されるからであると思われる。しかも長手方向に段階的に芳香剤の加熱蒸散量が変わり、揮散量微調節が可能で、芳香剤の実質的な揮散量の調節機能が発揮でき有為なものとなる。
【００２０】
【実施例】
本発明の吸液芯材と従来の吸液芯材を用い、蒸散量の調節を行い調節段階を確認した。
実施例１
0004010604.tif 000002
ヒーターと吸液芯材の位置は、芯長６３ｍｍの場合、薬液ボトルを加熱器に取り付けた状態で、ヒーター下面と吸液芯材上端が一致するようにする。
【００２１】
（実験結果）
吸液芯材の先端がフラットな従来の吸液芯材（比較芯材あるいはフラット材という）と本発明の吸液芯材（本発明芯材という）を比較すると、図４および図５に示すごとく、比較芯材の芯長６３ｍｍと本発明芯材の芯長６７ｍｍでほぼ同レベルの蒸散量が得られ、比較芯材では芯長６３ｍｍ、６１ｍｍ、５９ｍｍの３段階で３０日間安定した蒸散量が得られたのに対し、本発明芯材では芯長６７ｍｍ、６５ｍｍ、６３ｍｍ、６１ｍｍ、５９ｍｍの５段階にわたり３０日間安定した蒸散量が得られた。これより、本発明芯材は比較芯材に比べて揮散量を調節するに際し微調節が可能であることが判る。
【００２２】
【発明の効果】
芳香剤加熱蒸散装置に使用する吸液芯材について、前記装置配備のリング状ヒータに近接している吸液芯材先端部において、先端ほど前記吸液芯材の吸液芯材の表面積が小さくなるようにした部分が設けられることにより、芳香剤加熱蒸散装置により芳香剤の蒸散量を微調節することが可能となる。
吸液芯材の前記吸液芯材先端部形状を円錐状とすると、加工が簡単で、かつ揮散量の微調節も可能であるので好ましい。
本発明の吸液芯材を用いると高濃度の芳香剤を使用しても加熱蒸散装置から蒸散する芳香剤の有効成分の量を微調節できるので、高濃度の芳香剤を使用でき、芳香剤加熱蒸散装置の芳香剤を収納する薬液容器を小さなものにでき、従って加熱蒸散装置もコンパクト化することができる。
【図面の簡単な説明】
【図１】  （ａ）、（ｃ）は本発明の吸液芯材の形状の例であり、それぞれ上部に側面図、中央に平面図、下部に縦断面図を示す。
【図２】  （ｄ）〜（ｅ）は本発明の吸液芯材の形状の例であり、（ｆ）は従来の吸液芯材の形状の例であり、それぞれ上部に側面図、中央に平面図、下部に縦断面図を示す。
【図３】  芳香剤加熱蒸散装置の典型例の断面説明図。
【図４】  本発明の円錐状芯材で、芯長を５９ｍｍから７５ｍｍに変更した場合の蒸散量の経過日数推移を示すグラフ。
【図５】  フラット芯材で、芯長を５９ｍｍから７５ｍｍに変更した場合の蒸散量の経過日数推移を示すグラフ。
【符号の説明】
１  芳香剤加熱蒸散装置
２  上方開口部
３  下方開口部
４  外周壁
５  内周壁
６  取り付け口
７  薬液容器
８  口部
９  加熱ヒーター
１０  薬液
２０  吸液芯材
２１  吸液芯材下端部
２２  吸液芯材先端部
【図１】
0004010604.tif 000003
【図２】
0004010604.tif 000004
【図３】
0004010604.tif 000005
【図４】
0004010604.tif 000006
【図５】
0004010604.tif 000007